【事件の表示】
　平成　９年特許願第３２５７８９号「プルアウト形立軸ポンプ」拒絶査定不服審判事件〔平成１１年　６月１５日出願公開、特開平１１−１５９４９１〕について、次のとおり審決する。
【結　論】
　本件審判の請求は、成り立たない。
【理　由】
１．手続の経緯及び本願発明
　本件出願は、平成９年１１月２７日に出願されたものであって、平成１６年８月２３日付けで最初の拒絶理由が通知され、同年１０月２８日に意見書及び手続補正が提出され、同年１２月２０日付けで最初の拒絶理由が再度通知され、平成１７年３月７日に意見書及び手続補正書が提出されたが、同年４月２１日付けで拒絶査定がなされ、平成１７年５月２６日に同拒絶査定に対する審判請求がなされたものであり、その請求項１〜６に係る発明は、平成１６年１０月２８日付けの手続補正書及び平成１７年３月７日付けの手続補正書により補正された明細書及び出願当初の図面の記載からみて、特許請求の範囲の請求項１〜６に記載された事項により特定されるとおりのものと認められるところ、その請求項１に係る発明（以下、単に「本願発明」という。）は、次のとおりである。
　「【請求項１】
　吸水槽内に設置され、吸込ベルマウス、吸込ケーシング及び吐出ケーシングを有するプルアウト形立軸ポンプにおいて、
　前記吸込ベルマウス、吸込ケーシング及び吐出ケ−シングを吸水槽の底面に固定して設置すると共に、
　羽根車、ケーシングライナ、案内羽根ケ−シング、吐出ディフューザ及びポンプ軸を備えるポンプ水力部を、前記吐出ケーシング内に、ポンプ軸方向上部に引き出し自在に格納する構造としたことを特徴とするプルアウト形立軸ポンプ。」
　
２．引用文献
（１）原査定の拒絶理由に引用された特開昭６１−２８３７９８号公報（以下、単に「引用文献１」という。）には、次の事項が図面とともに記載されている。
　（ア）「第９図にプルアウト形立軸ポンプの概略図を示す。第９図において、吸込ベル１，外部ケーシング２，揚水管３，吐出しエルボ４，支持短管５，ポンプベース６が順次組み付けられて外筒部品が構成される。そして、この外筒部品のポンプベース６がポンプ吸込水槽７の上方に配設されたベースライナ８に配置固定されて、外筒部品がポンプ吸込水槽７に吊り下げられる。また、外筒部品の内側にラッパ管，内部ケーシン（審決注：「内部ケーシング」の誤記と思われる），インペラ等の回転部品９およびシャフト１０，湾曲板１１等の内筒部品が組み付け配置される。さらに、外筒部品の上部にモータ台１２，モータ１３が組み付けられて立軸ポンプが構成される。」（第２頁上左欄１〜１３行）
　（イ）「ところで、上記したプルアウト形立軸ポンプの従来の据付方法は以下のとおりである。まず、吸込ベル１，外部ケーシング２，揚水管３を第１０図のごとく地上で組み付けて第１の組付体を構成し、この第１の組付体をクレーン１４でポンプ吸込水槽７に吊り降ろし、第１１図のごとく揚水管３の上端部を分解組立工具１５によりベースライナ８上に仮置きする。さらに、吐出しエルボ４，支持短管５，ポンプベース６を地上で組み付けて第２の組付体を構成し、この第２の組付体をクレーン１４で吊り上げて、第１の組付体上に配置し、第１２図のごとく第１の組付体の上端フランジと第２の組付体の下端フランジを接続して外筒部品全体を組み付ける。この第１と第２の組付体が組み付けられた外筒部品全体をクレーン１４で吊り、分解組付工具１５を取り外してベースライナ８から第１の組付体を分離する。そして、そのまま外筒部品全体をポンプ吸込水槽７にさらに吊り降し、第１３図のごとくポンプベース６をベースライナ８に配置固定して、外筒部品を据え付ける。かかる外筒部品の据え付け後に内筒部品を組み付け、続いて外筒部品の上部にモータ台１２，モータ１３を組み付けてプルアウト形立軸ポンプの据付が完了する。」（第２頁上左欄１４行〜同頁上右欄１６行）
　（ウ）「このようにして外筒部品を据え付けた後に、従来と同様な方法により、内筒部品およびモータ台１２，モータ１３を組み付けて、プルアウト形立軸ポンプの据付を完了する。」（第３頁下左欄９〜１２行）
　
　（エ）上記の記載事項（ア）〜（ウ）及び図面の記載を総合すると、引用文献１には、次のような発明が記載されているものと認められる。
　「ポンプ吸込水槽７内に設置され、吸込ベル１、外部ケーシング２、揚水管３及び吐出しエルボ４を有するプルアウト形立軸ポンプにおいて、
　前記吸込ベル１、外部ケーシング２、揚水管３及び吐出しエルボ４等からなる外筒部品をポンプ吸込水槽７の上方に配設されたベースライナ８に固定して設置すると共に、
　ラッパ管、内部ケーシング、インペラ等の回転部品９及びシャフト１０、湾曲板１１等を備える内筒部品を、前記外部ケーシング２、揚水管３及び吐出しエルボ４内に、シャフト１０方向上部に引き出し自在に格納する構造としたプルアウト形立軸ポンプ。」（以下、単に「引用文献１に記載された発明」という。）
　
（２）原査定の拒絶理由に引用された実願平１−２５２３２号（実開平２−１１６０００号）のマイクロフィルム（以下、単に「引用文献２」という。）には、次の事項が図面とともに記載されている。
　（ア）「本実施例に係る立軸形ポンプは図に示すように、吸込口６の羽根車５入口近傍に‥‥‥‥単数或いは複数の小穴８が設けられており、さらに吸込口６下部に傘形に張り出した吸込案内口９が装着されている。‥‥‥吸込案内口９はリブ１０によつてピットに固定されており、吸込口６とは切離されていて据付時には本立軸形ポンプは上部から下ろされて吸込案内口９の上部に乗るような構造になっている。なお、１は主軸、３は吐出曲管、４は案内羽根である。」（明細書第４頁１１行〜同第５頁５行）
　（イ）「吸込口６と吸込案内口９との隙間Ｃができるだけ小さくなるように、吸込口６と吸込案内口９を接続している。」（同第６頁１〜３行）
　
（３）原査定の拒絶理由に引用された特公昭４５−３０７４１号公報（以下、単に「引用文献３」という。）には、次の事項が図面とともに記載されている。
　（ア）「１は水槽底壁で、ポンプヘツド２を固定する。このポンプヘツドは円筒部３と逆截頭円錐状の受部４とからなり、円筒部３には吸入口５が形成され、円錐状受部４には吐出口６が設けられ、その上方に複数個の回り止溝７が設けられる。‥‥‥
１０はモーターヘツドで、前記截頭円錐状受部４に嵌入する形状をなし、下端近くに前記回り止溝７に嵌まり込む回り止爪１１をもツ。同回り止爪１１は下端を尖らせ、溝７への嵌入を容易にする。モーターヘツド１０内には水中モータ１２が螺着され、その下端にインペラ１３が取り付けられ、ヘツド先端から突出している。モータ１２の上端には吊下げ索１４が取り付けられる。」（第１頁第１欄３５行〜同頁第２欄１１行）
　（イ）「水中底壁に固定されたポンプヘツド２にモーターヘツド１０を嵌入する。これは吊下げ索１４を緩めて行う。回り止爪１１が回り止溝７に嵌まりモーターヘツドの設定は完了する。‥‥‥
　水中モータ１２を回転すると、インペラ１３が回転し、吸入口５から水をポンプ室渦巻部９に吸引し、吐出口６から揚水管８を経て外部に放出する。」（第１頁第２欄１５〜２４行）
　（ウ）「モーターヘツド１０を降下させる際、モーターヘツドの中心とポンプヘツド２の中心とが多少ずれても、喇叭状の中に円錐状の先端が入る恰好なので、両者の嵌合は外れることがなく、簡単な構造で確実に所定位置に設定できる。」（第１頁第２欄２８〜３３行）
　
３．当審の判断
（１）本願発明と引用文献１に記載された発明との対比
　本願発明と引用文献１に記載された発明とを対比するに、引用文献１に記載された発明における「ポンプ吸込水槽７」、「吸込ベル１」、「外部ケーシング２」、「揚水管３及び吐出しエルボ４」、「インペラ」及び「シャフト１０」は、それらの形状、構造及び機能からみて、本願発明の「吸水槽」、「吸込ベルマウス」、「吸込ケーシング」、「吐出ケーシング」、「羽根車」及び「ポンプ軸」にそれぞれ相当する。さらに、引用文献１に記載された発明における「内筒部品」は、ラッパ管、内部ケーシング、インペラ等の回転部品９及びシャフト１０、湾曲板１１等から構成され、「（吸込ベル１、外部ケーシング２、揚水管３、吐出しエルボ４、短管５及びポンプベース６から構成される）外筒部品」にシャフト１０方向上部に引き出し自在に格納されるものであり、その構造及び機能からみて、本願発明の「ポンプ水力部」に相当する。
　したがって、本願発明と引用文献１に記載された発明は、
　「吸水槽内に設置され、吸込ベルマウス、吸込ケーシング及び吐出ケーシングを有するプルアウト形立軸ポンプにおいて、
　前記吸込ベルマウス、吸込ケーシング及び吐出ケーシングを吸水槽に固定して設置すると共に、
　羽根車、ポンプ軸等を備えるポンプ水力部を、前記吐出ケーシング内に、ポンプ軸方向上部に引き出し自在に格納する構造としたプルアウト形立軸ポンプ。」
　である点で一致し、次の〈相違点１〉及び〈相違点２〉の２点において相違する。
　〈相違点１〉
　ポンプ水力部は、本願発明においては、羽根車やポンプ軸の他に、ケーシングライナ、案内羽根ケ−シング、吐出ディフューザを備えているのに対し、引用文献１に記載された発明では、インペラやシャフト１０の他に、ラッパ管や内部ケーシングを備えているがその詳細は明確にされていない点。
　〈相違点２〉
　本願発明においては、吸込ベルマウス、吸込ケーシング及び吐出ケーシングを吸水槽の底面に固定して設置しているのに対し、引用文献１に記載された発明では、吸込ベル１や外部ケーシング２、揚水管３及び吐出しエルボ４をポンプ吸込水槽７の上方に配設されたベースライナ８に固定して設置している点。
　
（２）相違点についての検討
　〈相違点１〉について
　プルアウト形立軸ポンプにおいて、羽根車やガイドベーン等のように保守、点検や修理等を必要とする部材を内筒ケーシング等に一体的に組み付けて、吐出ケーシングや外部ケーシングに取出し可能にあるいは引き出し可能に格納し装着するように構成することは、本願出願前に周知の技術事項である（必要ならば、例えば、Ｉ．Ｊ．ＫＡＲＡＳＳＩＫ外３名編、池口稔久外２名訳「ポンプハンドブック」株式会社地人書館（昭和５６年８月１０日）〈９４頁（右欄４〜１０行の記載）及び９５頁（図２．１７４）〉、及び、日本規格協会編「ＪＩＳハンドブック　ポンプ」財団法人日本規格協会（１９８６年４月１２日）〈ＪＩＳ　Ｂ　０１３１における「（番号１４０）プルアウト形」に関する説明（２０頁）及び付図２０〜付図２１（７６頁）〉等参照のこと。）。
　したがって、前記〈相違点１〉に係る本願発明のように、羽根車やポンプ軸とともにケーシングライナ、案内羽根ケーシング、吐出ディフューザ等によりポンプ水力部を形成し、このポンプ水力部を吸込ベルマウス、吸込ケーシング及び吐出ケ−シングから構成される外部ケーシングに取出し可能にあるいは引き出し可能に格納し装着しうるように構成することは、前述した周知の技術事項を考慮すれば、当業者が格別な創意工夫を要することなく容易に想到しうる程度のものである。
　
　〈相違点２〉について
　引用文献２及び引用文献３に記載されたポンプは、上記２．の（２）、（３）からみて、プルアウト形立軸ポンプではないものの、引用文献２には、水槽底部に固定してある吸込案内口の上部に立軸ポンプの吸込口を載置することによって、水槽底部に立軸ポンプを据え付けた状態で稼動しうるようにした立軸ポンプが記載され、また、引用文献３には、ポンプヘッドとモーターヘッドにより構成され、水槽底壁に固定されたポンプヘッドにモーターヘッドを上方から嵌入させて水槽底部に固定された状態で稼動しうるようにした水中ポンプが記載されている。してみると、立軸ポンプにおいて、そのケーシング等の一部の部材を吸水槽の底壁に固定し、回転部材を含む他の部材を底壁に固定した部材に嵌合させあるいは接合させて、立軸ポンプを水槽の底壁に固定した状態で稼動しうるように構成することは、引用文献２や引用文献３にも記載されているように、本願出願前に周知の技術事項である（さらに、必要ならば、例えば、実願平３−３７２３号（実開平４−９５６９３号）のマイクロフィルム〈明細書の第３頁２７行〜第４頁３行（段落番号〔０００５〕）、第４頁２４〜２９行（段落番号〔０００８〕）、第５頁１２〜１９行（段落番号〔０００９〕）等の記載〉等も参照のこと。）。
　したがって、プルアウト形立軸ポンプにおいて、吸込ベルマウス、吸込ケーシングや吐出ケーシング等から構成される固定部の固定手段として、引用文献１に記載された発明のような固定部（外筒部品）を吸水槽の上方に配設されたベースライナに固定して設置する手段に代えて、前述した立軸ポンプに関する周知の技術事項を採用して、固定部の吸込ベルマウスを吸水槽の底面に固定して設置するように構成することは、当業者が格別困難なく容易に想到しうる程度のものである。
　よって、前記〈相違点２〉に係る本願発明のような構成とすることは、引用文献１に記載された発明や前述した周知の技術事項に基づいて、当業者が格別困難なく容易に想到し発明をすることができる程度のものである。
　
　以上のように、本願発明のような構成とすることは、引用文献１に記載された発明や前述した周知の技術事項に基づいて、当業者が格別な困難性を伴うことなく容易に想到し発明をすることができたものであり、しかも、本願発明は、全体構成でみても、引用文献１に記載された発明や前述した周知の技術事項から予測できる作用効果以上の顕著な作用効果を奏するものでもない。
　
４．むすび
　以上のとおり、本願発明は、引用文献１に記載された発明及び前述した周知の技術事項に基づいて当業者が容易に発明をすることができたものであるから、特許法第２９条第２項の規定により特許を受けることができない。
　よって、結論のとおり審決する。